(57)【要約】【課題】比較的容易に住宅等の出入口に設置することが可能な送風装置を提供する。【解決手段】本発明に係る送風装置は、建築物の出入口に設けられたドア９に備えられ、建築物の外側に向けて送風する送風装置において、吸込口１２および吹出口１１が設けられドア９に取り付けられる筺体１と、吸込口１２と吹出口１１とを連通させる通風路３と、通風路３内に帯電粒子を発生させる帯電粒子発生装置４と、吸込口１２から吸い込んだ空気を帯電粒子発生装置４で発生した帯電粒子とともに吹出口１１を通じて外部へ送り出す送風手段２と、を備え、吸込口１２および吹出口は１１、それぞれ建築物の外側に向けて設けられている【選択図】図１
2014102027.tif 000002
【特許請求の範囲】
【請求項１】
建築物の出入口に設けられたドアに備えられ、建築物の外側に向けて送風する送風装置において、
吸込口および吹出口が設けられ前記ドアに取り付けられる筺体と、前記吸込口と前記吹出口とを連通させる通風路と、前記通風路内に帯電粒子を発生させる帯電粒子発生装置と、前記吸込口から吸い込んだ空気を前記帯電粒子発生装置で発生した帯電粒子とともに前記吹出口を通じて外部へ送り出す送風手段と、を備え、
前記吸込口および前記吹出口は、それぞれ建築物の外側に向けて設けられていることを特徴とする送風装置。
【請求項２】
前記筺体は、前記ドアに対し、建築物の外側に突出して取り付けられることを特徴とする請求項１に記載の送風装置。
【請求項３】
前記吸込口から吸い込んだ空気を温める熱源をさらに備えることを特徴とする請求項１または２に記載の送風装置。
【請求項４】
前記送風手段および前記帯電粒子発生装置を制御する制御部と、前記ドアの近傍に人が接近していることを検知する人感センサと、をさらに備え、前記制御部は、前記人感センサにより人が前記ドアの近傍に接近していることを検知したとき、前記送風手段および前記帯電粒子発生装置を所定時間動作させることを特徴とする請求項１から３のいずれか１項に記載の送風装置。
【請求項５】
前記送風手段および前記帯電粒子発生装置を制御する制御部と、傘を保持するための保持部と、該保持部に傘が保持されていることを検知する検知部とをさらに備え、前記制御部は、該保持部に傘が保持されていることを検知したとき、前記送風手段および前記帯電粒子発生装置を所定時間動作させることを特徴とする請求項１から３のいずれか１項に記載の送風装置。
【発明の詳細な説明】
【技術分野】
【０００１】
この発明は、建築物の出入口に設けられたドアに取り付けられる送風装置に関するものである。
【背景技術】
【０００２】
換気や衣服に付着等の原因で屋内に侵入した花粉や塵埃等を除去する方法として、集塵フィルタを用いた空気清浄機による除去等が挙げられる。また、衣服類に付着した花粉や塵埃等を屋外で除去するために、オフィス等の出入口の天井付近にエアシャワー、イオンカーテン発生装置を設置することも考え出されている。
【０００３】
特許文献１には、微細な水滴を噴霧させる微細水噴霧手段と、吹出風により人体に付着した花粉や粉塵を吹き飛ばす花粉分離手段を備えることで、人体に有害なオゾンを発生させずにムラ無く除電でき、確実に花粉や塵埃を吹き飛ばすことができる花粉除去装置が開示されている。
【先行技術文献】
【特許文献】
【０００４】
【特許文献１】特開２００８−２０１３０号公報
【発明の概要】
【発明が解決しようとする課題】
【０００５】
しかしながら、特許文献１に記載された花粉除去装置は、出入口周辺の壁面等に設置する大型の装置であり、導入するには大規模な工事を施工する必要があり、また大きなスペースが要求されるという問題があった。
【０００６】
本発明は、上述した状況に鑑みてなされたものであり、比較的容易に住宅等の出入口に設置することが可能な送風装置を提供することを目的とする。
【課題を解決するための手段】
【０００７】
本発明に係る送風装置は、建築物の出入口に設けられたドアに備えられ、建築物の外側に向けて送風する送風装置において、吸込口および吹出口が設けられドアに取り付けられる筺体と、吸込口と吹出口とを連通させる通風路と、通風路内に帯電粒子を発生させる帯電粒子発生装置と、吸込口から吸い込んだ空気を帯電粒子発生装置で発生した帯電粒子とともに吹出口を通じて外部へ送り出す送風手段と、を備え、吸込口および吹出口は、それぞれ建築物の外側に向けて設けられている。
【０００８】
また、好ましくは、筺体は、ドアに対し、建築物の外側に突出して取り付けられる。
【０００９】
また、好ましくは、吸込口から吸い込んだ空気を温める熱源をさらに備える。
【００１０】
また、好ましくは、送風手段および帯電粒子発生装置を制御する制御部と、ドアの近傍に人が接近していることを検知する人感センサと、をさらに備え、制御部は、人感センサにより人がドアの近傍に接近していることを検知したとき、送風手段および帯電粒子発生装置を所定時間動作させる。
【００１１】
また、好ましくは、送風手段および帯電粒子発生装置を制御する制御部と、傘を保持するための保持部と、該保持部に傘が保持されていることを検知する検知部とをさらに備え、制御部は、該保持部に傘が保持されていることを検知したとき、送風手段および帯電粒子発生装置を所定時間動作させる。
【発明の効果】
【００１２】
本発明に係る送風装置によれば、比較的容易に住宅等の出入口に設置することが可能である。また、出入口の内側の空間の室温に影響を与えることなく、衣服等に付着した花粉や塵埃等など出入口の外側で除去することができる。
【図面の簡単な説明】
【００１３】
【図１】本実施の形態に係る送風装置の外観を示す図である。
【図２】図１のＩＩ−ＩＩ線における断面図である。
【図３】図２のＩＩＩ−ＩＩＩ線における断面図である。
【図４】図２のＩＶ−ＩＶ線における断面図である。
【図５】図１の送風装置の制御系統の概略構成を示すブロック図である。
【発明を実施するための形態】
【００１４】
この発明の実施の形態について、図面を参照して説明する。なお、以下で参照する図面では、同一またはそれに相当する部材には、同じ番号が付されている。
【００１５】
図１は、この発明の実施の形態に係る送風装置および送風装置が取り付けられたドアを示す外観図である。図２は、図１中のＩＩ−ＩＩ線上に沿った送風装置および送風装置が取り付けられたドアを示す断面図である。図３は、図２中のＩＩＩ−ＩＩＩ線上に沿った送風装置および送風装置が取り付けられたドアを示す断面図である。図４は、図２中のＩＶ−ＩＶ線上に沿った送風装置および送風装置が取り付けられたドアを示す断面図である。
【００１６】
本実施の形態に係る送風装置は、底面形状が台形の角柱形状をなす樹脂性の筺体１の内部に、送風手段２、イオン発生装置４、ダクト（通風路）５、ヒータ６などを備えている。本実施の形態では、送風装置は、ドア９の建築物の外側の面に取り付けられている。図１において、ドア９に対して送風装置が取り付けられている側が正面、反対側が背面である。
【００１７】
筺体１は、筺体１の背面がドア９の表側に対向するようにしてドア９表面の略中央部に、図示しないビスでドア９に固定されている。筺体１は、ドア９の表面に係止するなどの方法で固定してもよい。筺体１の正面の中央部には、鉛直方向を長手方向とする矩形のスリット形状をなす吹出口１１が設けられている。筺体１の左側面には、鉛直方向を長手方向とする矩形のスリット形状をなす吸込口１２が設けられている。吸込口１２には図示しない集塵フィルタが設けられている。
【００１８】
筺体１の吹出口１１の下方には、運転操作用のスイッチ等を備えた操作部１３が設けられている。筺体１の吹出口１１の上方には、人が接近していることを検知するための人感センサ１４が設けられている。
【００１９】
筺体１の内部下方には、送風手段２が設けられている。送風手段２は、シロッコファン（羽根車）２ａと、シロッコファン２ａを回転駆動するファンモータ２ｂとを備えている。シロッコファン２ａと、ファンモータ２ｂとは回転軸が水平方向を向くように設けられている。
シロッコファンはファンケーシング２１に覆われており、ファンケーシング２１の吸入側は吸込口１２と連通している。ファンケーシング２１の吐出側はダクト５の下端と連通しており、ダクト５は吹出口１１と連通している。ダクト５はファンケーシング２１の吐出側から吹き出される上向きの空気を筺体１の正面側に送風方向を変えるように湾曲している。ダクト５の内部には２本の仕切板５１が設けられており、ダクト５は内部が３つの風路に分離されている。
【００２０】
ダクト５の内部には、帯電粒子発生装置としてのイオン発生装置４が設けられている。イオン発生装置４は、針状の放電電極を有し、高電圧を印加された放電電極でコロナ放電が起き、帯電粒子として正イオンおよび負イオンを発生させる。イオン発生装置４は、ダクト５の下端に、針状の放電電極がダクト５内を臨むように配置されている。
【００２１】
なお、正イオンは、水素イオン（Ｈ＋）の周囲に複数の水分子がクラスター化したクラスターイオンであり、Ｈ＋（Ｈ２Ｏ）ｍ（ただし、ｍは任意の自然数である）と表わされる。また負イオンは、酸素イオン（Ｏ２−）の周囲に複数の水分子がクラスター化したクラスターイオンであり、Ｏ２−（Ｈ２Ｏ）ｎ（ただし、ｎは０または任意の自然数である）と表わされる。また、正イオンおよび負イオンを室内に放出すると、両イオンが空気中を浮遊するカビ菌やウィルスの周りを取り囲み、その表面上で互いに化学反応を起こす。その際に生成される活性種の水酸化ラジカル（・ＯＨ）の作用により、浮遊カビ菌などが除去される。
【００２２】
ダクト５の内部のイオン発生装置４よりも上側（風下側）で、かつ、仕切板５１よりも下側（風上側）に、熱源としてのヒータ６が設けられている。ヒータ６は、熱を放出する部分がダクト内に露出しており、送風手段２によって上方に送られてくる空気を温める。
【００２３】
ダクト５の吹出口１１側の端部には、ルーバ５２が設けられている。ルーバ５２は回転軸を鉛直方向として回動可能に枢支されている。ルーバ５２が回動することで、吹出口１１から吹き出される空気の吹き出し方向を変更することができる。本実施の形態に係る送風装置においては、吹き出し方向が前方（ドア９の表側）、右斜め前方、左斜め前方のいずれかに切り替えることができ、それぞれの中間位置でルーバ５２を固定することもできる。なお、図１ではルーバ５２の図示を省略している。
【００２４】
筺体１には、正面と右側面の間の稜線部近傍に回転軸を鉛直方向として回動可能な蓋部１５が設けられている。蓋部１５は送風装置を使用しているときは、右側側に倒されており、送風装置を使用していないときは、回動することで吹出口１１を塞ぐ状態で固定されている。吹出口１１を塞ぐことで、送風装置を使用していないときに、屋外の花粉や黄砂、塵埃等が送風装置内部に侵入するのを防止することができる。
【００２５】
筺体１の右側側面から、傘を保持するための棒状の保持部８が突出している。保持部８は、傘の柄を保持部８の上面に係止することで傘を保持する。保持部８の上面には、タッチセンサを有する検知部８１が設けられている。検知部８１は、保持部８の上面に傘の柄が接触しているか否かを検知することで、傘が保持部８に保持されているかを検知する。
【００２６】
上記構成において、ファンモータ２ｂを駆動すると、シロッコファン２ａが回転して、外部の空気が吸込口１２から筺体１内部に吸い込まれる。吸込口１２から吸い込まれた空気は、集塵フィルタを通過して大きな塵埃や異物が取り除かれる。集塵フィルタを通過した空気はシロッコファン２ａを経由してダクト５の上方側へ通流する。イオン発生装置４が発生させた正イオンおよび負イオンがダクト５内を通流する空気に放出され、ヒータ６周辺を通ることで、ダクト５内を通流する空気が温められる。イオンを含み、温められた空気はさらにダクト５内を上方に通流し、吹出口１１から外部へ放出される。
【００２７】
図５は、送風装置の制御構成図である。筺体１内部に制御部７が設けられ、制御部７に人感センサ１４および検知部８１の検出信号が入力されている。制御部７には、操作部１３に設けられているスイッチからの信号も入力されている。制御部７からはファンモータ２ｂ、イオン発生装置４およびヒータ６に対する駆動信号が出力されている。なお、送風装置には図示しない電源コードが設けられており、電源コードを交流電源に接続すると、制御部７の電源端子Ｖｃｃに電源電圧が供給される。電源コードはドア９に孔を空けるなどして、ドア９の内部を通し、建築物の内部（屋内）に設置されている商用電源に接続している。
【００２８】
人が本実施の形態に係る送風装置が取り付けられているドア９に接近すると、人感センサ１４が人の接近を検知し、制御部７に検出信号が入力される。制御部７に人の接近を検出した検出信号が送られると、制御部７はファンモータ２ｂおよびイオン発生装置４に対して駆動信号を出力し、ファンモータ２ｂおよびイオン発生装置４が駆動され、吹出口１１からイオンを含んだ空気が放出される。
【００２９】
ドア９の外側（正面側）に立っている人に向かって正イオンおよび負イオンを含んだ空気が放出されることで、屋外で着衣や毛髪等に付着した花粉、黄砂または塵埃等は除電され、着衣や毛髪等から払い落とされる。送風のみでは、帯電の影響により着衣や毛髪に付着した花粉、黄砂または塵埃等を効率よく払い落とすことは困難であるが、正イオンおよび負イオンを含んだ空気を放出し除電することで、着衣や毛髪に付着した花粉、黄砂または塵埃等の大部分を効率よく払い落とすことができる。
【００３０】
本実施の形態では、人感センサ１４が人の接近を検知したときに、制御部７はファンモータ２ｂおよびイオン発生装置４を駆動するようにしているが、人感センサ１４が所定時間以上立ち止っていることを検知したときにのみ、ファンモータ２ｂおよびイオン発生装置４を駆動するようにしてもよい。人が所定時間以上（たとえば３秒以上）立ち止ったときのみ駆動することで、ドア９の前を通過するに過ぎない人に対してイオンを含んだ空気を放出するということがなくなる。送風装置によってイオンを含んだ空気を浴びて着衣や毛髪に付着した花粉、黄砂または塵埃等を払い落としたいと所望する人に対してのみ送風装置を動作させることができる。
【００３１】
ユーザが傘を保持部８に引っ掛け、傘が保持部８に保持されていることを検知部８１が検知したとき、制御部７に検出信号が入力される。制御部７に傘の保持を検出した検出信号が送られると、制御部７はファンモータ２ｂ、イオン発生装置４およびヒータ６に対して駆動信号を出力し、ファンモータ２ｂ、イオン発生装置４およびヒータ６が駆動され、吹出口１１からイオンを含んだ温風が放出される。制御部７は、所定時間ファンモータ２ｂ、イオン発生装置４およびヒータ６を駆動し、所定時間経過後自動的に停止する。本実施の形態に係る送風装置は、ファンモータ２ｂ、イオン発生装置４およびヒータ６を５分間駆動した後停止する。この所定時間はユーザが変更できるようにしてもよい。
【００３２】
このとき、制御部７は、吹出口１１から放出された温風が保持部８に保持された傘に当たるようにルーバ５２を回動させてもよい。また、ユーザが手動でルーバ５２の向きを変えて、傘に当たるようにしてもよい。
【００３３】
また、本実施の形態では、ヒータ６を駆動することで、傘に温風を当てるようにしているが、ヒータ６を駆動せず、傘に正イオンおよび負イオンを含んだ空気を当てるようにしてもよい。特に夏場は外気温が高いため、ヒータ６を駆動しなくても傘を乾かすことができる。
【００３４】
また、操作部１３に設けられたスイッチを操作することで、ファンモータ２ｂおよびイオン発生装置４を強制的に駆動させることができ、操作部１３に設けられたスイッチを操作することで、ヒータ６のＯＮ／ＯＦＦを切り替えることができる。ヒータ６がＯＮのときは、制御部７は、ファンモータ２ｂおよびイオン発生装置４に対して駆動信号を出力する場合に、ヒータ６にも駆動信号を出力する。ヒータ６がＯＦＦのときは、制御部７は、ファンモータ２ｂおよびイオン発生装置４に対して駆動信号を出力する場合に、ヒータ６には駆動信号を出力しない。ヒータ６のＯＮ／ＯＦＦによって吹出口１１から放出される空気の温度を調整し、温風と冷風とを切り替えることができる。
【００３５】
本実施の形態に係る送風装置は、吸込口１２および吹出口１１がドア９の外側に設けられた送風装置であるため、比較的容易に住宅等の出入口に設置することができる。また、筺体１がドア９の外側から取り付けられ、ドア９に対して突出するように設置されるため、ドア９への後付け工事を比較的容易に行うことができる。
【００３６】
本実施の形態に係る送風装置は、吸込口１２がドア９の外側に向けて設けられているため、室内の空気がドア９を通じて建築物の外側に流れ出てしまうことがなく、室温に影響を与えることがない。建築物の内側（屋内）が、エアーコンディショナーなどの空調機器により温度調整されている場合に、吸込口１２がドア９の内側にあると、温度調整された室内空気が建築物の外側（屋外）に流出してしまう。特に近年の建築物は、密閉性および断熱性が高いため、その影響が顕著である。
【００３７】
また、吹出口１１がドア９の外側に向けて設けられており、正イオンおよび負イオンを含んだ空気がドア９の外側に向けて放出されるため、屋外で着衣や毛髪等に付着した花粉、黄砂または塵埃等は除電され、着衣や毛髪等から花粉、黄砂または塵埃等を払い落とすことができる。送風のみでは、帯電の影響により着衣や毛髪に付着した花粉、黄砂または塵埃等を効率よく払い落とすことは困難であるが、正イオンおよび負イオンを含んだ空気を放出し除電することで、着衣や毛髪に付着した花粉、黄砂または塵埃等の大部分を効率よく払い落とすことができる。
【００３８】
また、ヒータ６を備えているため、外出中に雨や雪により濡れてしまった着衣、鞄、傘などに温風を当て、ある程度乾燥させることができる。温風はドア９の外側に向けて放出されるため、夏場であっても温風により屋内の室温が上昇することはない。
【００３９】
また、保持部８に傘が保持されていることを検知部８１が検知して、傘に向けて温風を所定時間放出することで、雨や雪で濡れた傘をある程度乾かすことができる。所定時間後自動的に停止するため、ユーザは傘を保持部８に保持させた後に室内に入っても傘には所定時間温風が当てられるため、ユーザに負担を掛けずに効率よく傘を乾かすことができる。
【００４０】
また、本実施の形態においては、帯電粒子として水分子が凝集したイオンを発生させる形態を示したが、この形態に限られることなく、送風手段２が帯電水粒子等の帯電粒子を発生させる形態であってもよい。また、負イオンのみを発生させる形態であってもよい。
【００４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４２】
１        筺体
２        送風手段
２ａ      シロッコファン
２ｂ      ファンモータ
４        イオン発生装置
５        ダクト
６        ヒータ
７        制御部
８        保持部
９        ドア
１１      吹出口
１２      吸込口
１３      操作部
１４      人感センサ
１５      蓋部
２１      ファンケーシング
５１      仕切板
５２      ルーバ
８１      検知部
【図１】
2014102027.tif 000003
【図２】
2014102027.tif 000004
【図３】
2014102027.tif 000005
【図４】
2014102027.tif 000006
【図５】
2014102027.tif 000007